(57)【要約】      （修正有）【課題】メモ用紙を剥がして取り出す動作が容易なメモ用紙及びメモ用紙フォルダーを提供する。【解決手段】底板１０と、該底板の両端縁部を折り返し、該底板の中心に向かって延伸させ、かつそれぞれが同等の長さに形成されるカバー部１１とし、該底板と該カバー部との間に収納部が自然に形成されるとともに、該カバー部上に支持突起部１２を設けてなるメモ用紙支持座１と、複数のメモ用紙によってなり、該メモ用紙支持座の収納部に収納されるメモ用紙束２であって、それぞれのメモ用紙の底面の一端に粘着層を形成して接触する他のメモ用紙を粘着させ、且つ上下に重なり合うメモ用紙の底面に形成する粘着層の位置を互い違いに構成してなるメモ用紙束と、によって構成する。【選択図】図１
0003110257.tif 000002
【実用新案登録請求の範囲】
【請求項１】
底板と、該底板の両端縁部を折り返し、該底板の中心に向かって延伸させ、かつそれぞれが同等の長さに形成されるカバー部とし、該底板と該カバー部との間に収納部が自然に形成されるとともに、該カバー部上に支持突起部を設けてなるメモ用紙支持座と、
複数のメモ用紙によってなり、該メモ用紙支持座の収納部に収納されるメモ用紙束であって、それぞれのメモ用紙の底面の一端に粘着層を形成して接触する他のメモ用紙を粘着させ、且つ上下に重なり合うメモ用紙の底面に形成する粘着層の位置を互い違いにしてなるメモ用紙束と、によってなることを特徴とするメモ用紙、及びメモ用紙フォルダー。
【請求項２】
複数のメモ用紙支持座と、複数のメモ用紙束とによってなり、該メモ用紙支持座は、底板と、該底板の両端縁部を折り返し、該底板の中心に向かって延伸させ、かつそれぞれが同等の長さに形成されるカバー部とし、該底板と該カバー部との間に収納部が自然に形成されるとともに、該カバー部上に支持突起部を設けてなり、
該メモ用紙束は、複数のメモ用紙によってなり、該メモ用紙支持座の収納部に収納されるメモ用紙束であって、それぞれのメモ用紙の底面の一端に粘着層を形成して接触する他のメモ用紙を粘着させ、且つ上下に重なり合うメモ用紙の底面に形成する粘着層の位置を互い違いに構成してなること、を特徴とするメモ用紙、及びメモ用紙フオルダー。
【請求項３】
前記複数のメモ用紙束がそれぞれ異なる色に着色されることを特徴とする請求項２に記載のメモ用紙、及びメモ用紙フォルダー。
【考案の詳細な説明】
【技術分野】
【０００１】
この考案はメモ用紙に関し、特に取り出しに便利なメモ用紙と、メモ用紙フォルダーに関する。
【背景技術】
【０００２】
メモ用紙は、この10年来開発され、商品化されてきた商品である。比較的小さいサイズの紙片の背面端縁部に特殊な材質の粘着物を設けてなる。該粘着物は適宜な粘着性を具え、他の物体に貼着したメモ用紙を剥がした場合、粘着物が該物体の表面に残留することがない。かかるメモ用紙によって簡単なメッセージを他人に伝えることができる。また、重用な事項を随時メモすることができ、幅広く使用されている。よって、日常生活において欠かすことのできない重要な用品の一つとなっている。
【０００３】
従来のメモ用紙とメモ用紙フォルダーの構造は、榎数のメモ用紙を重ねてフォルダー内に収納する。使用する場合は該フォルダーの開口から最上面のメモ用紙を剥がして取り出す。メモ用紙の前端、もしくは後端には粘着特性を有する粘着物を塗布する。メモ用紙を重ねると該粘着物によってメモ用紙同士が互いに粘着する。但し、メモ用紙自体は重量が極めて軽いため、メモ用紙を取り出すために剥がす場合、重ねたメモ用紙が互いに粘着しているため、一枚だけ剥がそうとしても、メモ用紙の束全体が動く。
【考案の開示】
【考案が解決しようとする課題】
【０００４】
この考案は、メモ用紙を剥がして取り出す動作が容易なメモ用紙、及びモ用紙フォルダーを提供することを課題とする。
【０００５】
また、この考案は好ましい美観が得られるメモ用紙、及びメモ用紙フォルダーを提供することを課題とする。
【課題を解決するための手段】
【０００６】
そこで本考案者は、従来の技術に鑑み鋭意研究を重ねた結果、底板と、該底板の両端縁部を折り返し、該底板の中心に向かって延伸させ、かつそれぞれが同等の長さに形成されるカバー部とし、該底板と該カバー部との間に収納部が自然に形成されるとともに、該カバー部上に支持突起部を設けてなるメモ用紙支持座と、複数のメモ用紙によってなり、該メモ用紙支持座の収納部に収納されるメモ用紙束であって、それぞれのメモ用紙の底面の一端に粘着層を形成して接触する他のメモ用紙を粘着させ、且つ上下に亘なり合うメモ用紙の底面に形成する粘着層の位置を互い違いにしてなるメモ用紙束と、によってなるメモ用紙、及びメモ用紙フォルダーの構造と、その製造方法によって課題を解決できる点に着眼し、係る知見に基づき本考案を完成させた。
以下、この考案について具体的に説明する。
【０００７】
請求項１に記載するメモ用紙、及びメモ用紙フォルダーは、底板と、該底板の両端縁部を折り返し、該底板の中心に向かって延伸させ、かつそれぞれが同等の長さに形成されるカバー部とし、該底板と該カバー部との間に収納部が自然に形成されるとともに、該カバー部上に支持突起部を設けてなるメモ用紙支持座と、複数のメモ用紙によってなり、該メモ用紙支持座の収納部に収納されるメモ用紙束であって、それぞれのメモ用紙の底面の一端に粘着層を形成して接触する他のメモ用紙を粘着させ、且つ上下に重なり合うメモ用紙の底面に形成する粘着層の位置を互い違いに構成してなるメモ用紙束と、によってなる。
【０００８】
請求項２に記載するメモ用紙、及びメモ用紙フォルダーは、複数のメモ用紙支持座と、複数のメモ用紙束とによってなり、
該メモ用紙支持座は、底板と、該底板の両端縁部を折り返し、該底板の中心に向かって延伸させ、かつそれぞれが同等の長さに形成されるカバー部とし、該底板と該カバー部との間に収納部が自然に構成されるとともに、該カバー部上に支持突起部を設けてなり、
該メモ用紙束は、複数のメモ用紙によってなり、該メモ用紙支持座の収納部に収納されるメモ用紙束であって、それぞれのメモ用紙の底面の一端に粘着層を形成して接触する他のメモ用紙を粘着させ、且つ上下に重なり合う2メモ用紙の底面に形成する粘着層の位置を互い違いに構成してなる。
【０００９】
請求項３に記載するメモ用紙及びメモ用紙フォルダーは、請求項２における複数のメモ用紙束がそれぞれ異なる色に着色される。
【考案の効果】
【００１０】
この考案によるメモ用紙、及びメモ用紙フォルダーは、メモ用紙を剥がして取り出す動作が容易が容易であるため、使用上便利であるという利点を有する。
【００１１】
また、色彩による好ましい美観が得られるとともに、色彩によって複数のメモ用紙束を使用目的別に分けて識別しやすいようにすることができるため、製品の付加価値を高めるという効果を有する。
【考案を実施するための最良の形態】
【００１２】
この考案はメモ用紙、及びメモ用紙のフォルダーを提供するものであって、底板と、該底板の両端縁部を折り返し、該底板の中心に向かって延伸させ、かつそれぞれが同等の長さに形成されるカバー部とし、該底板と該カバー部との間に収納部が自然に形成されるとともに、該カバー部上に支持突起部を設けてなるメモ用紙支持座と、複数のメモ用紙によってなり、該メモ用紙支持座の収納部に収納されるメモ用紙束であって、それぞれのメモ用紙の底面の一端に粘着層を形成して接触する他のメモ用紙を粘着させ、且つ上下に重なり合うメモ用紙の底面に形成する粘着層の位置を互い違いにしてなるメモ用紙束と、によってなり、一枚一枚のメモ用紙を取りだし易くするという目的を、実現した。
係る構成のメモ用紙及びメモ用紙フォルダーについて、その構造と特徴を詳述するために具体的な実施例を挙げ、以下に説明する。
【実施例１】
【００１３】
図1から図3に開示するように、この考秦による取り出し式メモ用紙は、メモ用紙支持座1と、メモ用紙束2とによってなる、メモ用紙束2は複数のメモ用紙21によってなり、メモ用紙支持座1は底板10と、底板10の両端縁部を折り返し、底板10の中心に向かって延伸させ、かつそれぞれが同等の長さに形成されるカバー部11とによってなり、底板10と該カバー部11との間にはメモ用紙束2を収納する収納部14が自然に形成される。
【００１４】
また、カバー部11上には支持突起部12を設ける。該支持突起部12はメモ用紙21を下から支持する部分であって、メモ用紙21を取り出す場合、支持突起部12によって支持されたメモ用紙21だけを剥がせばよく、従来のようにメモ用紙を剥がすために隙間を肉眼で確認する必要がなく便利である。また、1枚を剥がそうとすると、粘着した数枚が一緒にはがれることもない。
【００１５】
図4に開示するように、メモ用紙支持座1の収納部13内には複数のメモ用紙21を収納する。メモ用紙21は、底面の一端に粘着層22を形成して接触する他のメモ用紙21を粘着させる。上下に重なり合うメモ用紙21は底面に粘着層22を形成する位置を互い違いにする。即ち、仮に上のメモ用紙21が、底面の左側に粘着層22を形成するのであれば、その下のメモ用紙21は底面の右側に粘着層22を形成する。上のメモ用紙21が、底面の右側に粘着眉22を形成するのであれば、その下のメモ用紙21は底面の左側に粘着層22を形成する。
また、メモ用紙21の上面、及び底面の粘着層22を形成しない部分には剥離剤を塗布し、メモ用紙21が粘着層22によって複数枚粘着して剥がし難<なることを防ぐ。
【００１６】
この考案によるメモ用紙21、及びメモ用紙支持座１は、上述のとおり構成する。但し、実施する場合は複数のメモ用紙支持座1とメモ用紙束2とによって、比較的大きなメモ用紙フォルダーを構成してもよい。また、それぞれの支持座1に収納するメモ用紙21は、赤、燈、黄色、青などの異なる色にしてもよい。この場合、異なる色彩によって好ましい外観が得られ、メモ用紙フォルダーの視覚上好ましい感覚が得られる。またそれぞれのメモ用紙21を異なる色にすることによって識別が容易になり、使用目的別に分けることができる。よって、考案の付加価値を高めることができる。
【００１７】
図5に開示するように、上から1枚目のメモ用紙21の粘着層22を形成しない右端を支持座1の右端のカバー部11に設けた支持突起部12上に位置させる。上から1枚目のメモ用紙21を取り出すと、該メモ用紙21の粘着層22を形成した一端が2枚目のメモ用紙21を引っ張り、2枚目のメモ用紙21の粘着層22を形成しない左側の一端が左側のカバー部11の支持突起部12上に至る。同様に、2枚目のメモ用紙21を取り出すと、該メモ用紙21の粘着層22を形成しない右端がメモ用紙支持座1の右端のカバー部11の支持突起部12上に至る。かかる動作をメモ用紙21がなくなるまで繰り返す。
【００１８】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の案用新案登録請求の範囲に属するものとする。
【図面の簡単な説明】
【００１９】
【図１】この考案によるメモ用紙フォルダーの外観を示した斜視図である。
【図２】この考案におけるメモ用紙支持座とメモ用紙の関係を示した説明図である。
【図３】この考案におけるメモ用紙フォルダーの外観を示した斜視図である。
【図４】この考案におけるメモ用紙の粘着層を形成する位置を示した説明図である。
【図５】この考案におけるメモ用紙を取り出す場合の動作を示した説明図である。
【符号の説明】
【００２０】
1  メモ用紙支持座
10  底板
11  カバー部
12  支持突起部
13  収納部
2  メモ用紙束
21  メモ用紙
22  粘着層
【図１】
0003110257.tif 000003
【図２】
0003110257.tif 000004
【図３】
0003110257.tif 000005
【図４】
0003110257.tif 000006
【図５】
0003110257.tif 000007